(57)【要約】      （修正有）【課題】第１の導体部と第２の導体部とをより導通させやすくすることが可能なテレビジョン受像機および電子機器を提供する。【解決手段】テレビジョン受像機および電子機器は、筐体と、第１の導体部１１と、第２の導体部１２と、導電性接着層９と、を備える。筐体は、表示装置を収容する。第１の導体部１１および第２の導体部１２は、筐体内に設けられる。導電性接着層９は、圧縮部９ａを有する。圧縮部９ａは、第１の導体部と第２の導体部との間に位置され、第１の導体部１１と導電性接着層９と第２の導体部１２とが重なる方向に圧縮される。【選択図】図３
2014215711.tif 000002
【特許請求の範囲】
【請求項１】
表示装置が収容された筐体と、
前記筐体内に設けられた第１の導体部と、
前記筐体内に設けられた第２の導体部と、
前記第１の導体部と前記第２の導体部との間に位置された導電性接着層と、
を備え、
前記導電性接着層は、前記第１の導体部と前記導電性接着層と前記第２の導体部とが重なる方向に圧縮された圧縮部を有した、テレビジョン受像機。
【請求項２】
前記第１の導体部または前記第２の導体部の前記導電性接着層とは反対側の面に凹部が設けられ、
前記圧縮部は、前記導電性接着層の前記凹部と対応する位置に設けられた、請求項１に記載のテレビジョン受像機。
【請求項３】
前記凹部に入る凸部を有した第１の部材を備えた、請求項２に記載のテレビジョン受像機。
【請求項４】
前記第１の部材との間に少なくとも前記導電性接着層を挟む第２の部材を備えた、請求項３に記載のテレビジョン受像機。
【請求項５】
前記導電性接着層が、複数の前記圧縮部を有した、請求項１〜４のうちいずれか一つに記載のテレビジョン受像機。
【請求項６】
複数の前記圧縮部が、千鳥状に配置された、請求項５に記載のテレビジョン受像機。
【請求項７】
前記凸部が、半球状に突出した、請求項３〜６のうちいずれか一つに記載のテレビジョン受像機。
【請求項８】
前記凸部が、壁状に突出した、請求項３〜６のうちいずれか一つに記載のテレビジョン受像機。
【請求項９】
表示装置が収容された筐体と、
前記筐体内に設けられた第１の導体部と、
前記筐体内に設けられた第２の導体部と、
前記第１の導体部と前記第２の導体部との間に位置され、開口部が設けられた接着層と、
を備え、
前記第１の導体部および前記第２の導体部のうち少なくとも一方は前記開口部内で他方側に突出された突出部を有し、前記突出部と前記他方とが互いに接触して電気的に接続された、テレビジョン受像機。
【請求項１０】
筐体と、
前記筐体内に設けられた第１の導体部と、
前記筐体内に設けられた第２の導体部と、
前記第１の導体部と前記第２の導体部との間に位置された導電性接着層と、
を備え、
前記導電性接着層は、前記第１の導体部と前記導電性接着層と前記第２の導体部とが重なる方向に圧縮された圧縮部を有した、電子機器。
【発明の詳細な説明】
【技術分野】
【０００１】
本発明の実施形態は、テレビジョン受像機および電子機器に関する。
【背景技術】
【０００２】
従来、筐体内に設けられた第１の導体部と第２の導体部とが、導電性部材を介して電気的に接続された、電子機器が知られている。
【先行技術文献】
【特許文献】
【０００３】
【特許文献１】特開２０１２−１９５５１号公報
【発明の概要】
【発明が解決しようとする課題】
【０００４】
この種の電子機器では、第１の導体部と第２の導体部とがより導通しやすい構成が得られれば、好ましい。
【０００５】
そこで、本発明の実施形態は、一例として、第１の導体部と第２の導体部とをより導通させやすくすることが可能なテレビジョン受像機および電子機器を得ることを、目的の一つとする。
【課題を解決するための手段】
【０００６】
実施形態にかかるテレビジョン受像機は、一例として、筐体と、第１の導体部と、第２の導体部と、導電性接着層と、を備える。筐体は、表示装置を収容する。第１の導体部および第２の導体部は、筐体内に設けられる。導電性接着層は、圧縮部を有する。圧縮部は、第１の導体部と第２の導体部との間に位置され、第１の導体部と導電性接着層と第２の導体部とが重なる方向に圧縮される。
【図面の簡単な説明】
【０００７】
【図１】図１は、第１実施形態にかかるテレビジョン受像機の一例を正面側から見た斜視図である。
【図２】図２は、第１実施形態にかかるテレビジョン受像機の一例の筐体内の一部を正面側から見た斜視図である。
【図３】図３は、図２のIII−III断面図である。
【図４】図４は、図３に示すIV部の拡大図である。
【図５】図５は、図３に示すV部の拡大図である。
【図６】図６は、第２実施形態にかかる電子機器の一例を正面側から見た斜視図である。
【図７】図７は、図６のVII−VII断面図である。
【図８】図８は、第１変形例にかかる電子機器の一例に含まれる凸部の正面図である。
【図９】図９は、図８のIX−IX断面図である。
【図１０】図１０は、第２変形例にかかる電子機器の一例に含まれる凸部の正面図である。
【図１１】図１１は、第３変形例にかかる電子機器の一例に含まれる凸部の正面図である。
【図１２】図１２は、第４変形例にかかる電子機器の一例に含まれる凸部の正面図である。
【図１３】図１３は、第５変形例にかかる電子機器の一例に含まれる凸部の正面図である。
【図１４】図１４は、第６変形例にかかる電子機器の一例に含まれる凸部の正面図である。
【図１５】図１５は、図１４のXV−XV断面図である。
【図１６】図１６は、第７変形例にかかる電子機器の一例に含まれる凸部の正面図である。
【図１７】図１７は、第８変形例にかかる電子機器の一例に含まれる凸部の正面図である。
【図１８】図１８は、第９変形例にかかる電子機器の一例に含まれる凸部の正面図である。
【図１９】図１９は、第１０変形例にかかる電子機器の一例に含まれる凸部の正面図である。
【図２０】図２０は、図１９のXX−XX断面図である。
【図２１】図２１は、第１１変形例にかかる電子機器の一例に含まれる凸部の正面図である。
【図２２】図２２は、第３実施形態にかかるテレビジョン受像機の一例の一部の断面図である。
【発明を実施するための形態】
【０００８】
以下の例示的な複数の実施形態および変形例には、同様の構成要素が含まれている。よって、以下では、同様の構成要素には共通の符号が付されるとともに、重複する説明が省略される。
【０００９】
また、以下の実施形態では、電子機器がテレビジョン受像機や所謂クラムシェル型（ノートブック型）のパーソナルコンピュータとして構成された場合が例示されるが、本実施形態にかかる電子機器は、これには限定されない。本実施形態にかかる電子機器は、筐体内に第１の導体部と導電性接着層と第２の導体部とが設けられた種々の電子機器（例えば、スマートテレビ、携帯電話機、映像表示装置、テレビ電話機等）として構成することができる。
【００１０】
＜第１実施形態＞
本実施形態では、一例として、図１に示されるように、テレビジョン受像機１は、支持部２と筐体３とを備える。具体的に、筐体３（第一筐体、第一部分、第一部品）は、表示装置４の少なくとも一部を収容する。支持部２（スタンド部、台、支部、第二筐体、第二部分、他の部分、他の部品）は、筐体３を支持する。支持部２は、外部載置面に載置された場合にこの外部載置面と向かい合う領域２０ａ（底壁、壁、領域、部分、脚）を有する。
【００１１】
また、本実施形態では、一例として、支持部２は、筐体３を、ヒンジ部（接続部、連結部、回動支持部、ヒンジ機構、接続機構、連結機構、回動支持機構、図示されず）を介して回動可能に支持している。本実施形態では、一例として、ヒンジ部は、チルトの調整を可能としており、表示画面４ａの上下方向の角度を変化させる。なお、支持部２は筐体３を他の方向への回動（例えば、ピボット、スイベル等）を可能に支持することができる。
【００１２】
テレビジョン受像機１の筐体３は、本実施形態では、一例として、正面視および背面視では四角形状（本実施形態では、一例として長方形状）に構成されている。また、筐体３は、本実施形態では、一例として、前後方向に薄い扁平な直方体状に構成されている。筐体３は、面３ａ（前面、正面、第一面、第一面部）とこの反対側の面３ｂ（後面、背面、第二面、第二面部）と、を有する。また、筐体３は、図１に示されるように、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。また、端部３ｄ，３ｆは、短辺部の一例である。
【００１３】
また、筐体３は、面３ａを有する壁部３ｋ（第一部分、プレート、フレーム、前壁部、表壁部、天壁部）と、面３ｂを有する壁部３ｍ（第二部分、プレート、後壁部、裏壁部、底壁部、図３参照）と、を有する。壁部３ｋ，３ｍは、四角形状（本実施形態では、一例として長方形状）である。また、筐体３は、壁部３ｋと壁部３ｍとの間に亘った面３ｐ（側面、周面、第三面）を有する四つの壁部３ｎ（第三部分、プレート、側壁部、端壁部、立壁部、亘部）を有する。なお、壁部３ｋには、一例としては四角形状の開口部３ｒが設けられている。よって、壁部３ｋは、四角形状かつ枠状である。
【００１４】
さらに、筐体３は、複数の部品（分割体）が組み合わせられて構成されることができる。筐体３は、本実施形態では、一例として、少なくとも壁部３ｋを含む第一筐体部材３１（第一部分、前側部材、マスク、マスク部、カバー、フロントカバー、カバー部、第一領域）と、少なくとも壁部３ｍを含む第二筐体部材３２（第二部分、後側部材、ベース、ベース部、ボトム、ボトム部、カバー、リヤカバー、カバー部、第二領域）とを有する。壁部３ｎは、第一筐体部材３１および第二筐体部材３２のうち少なくともいずれか一方（例えば、第二筐体部材３２）に含まれる。また、筐体３は、第一筐体部材３１および第二筐体部材３２とは別に、これらの間に位置した第三筐体部材（第三部分、中間部材、隔部材、障壁部材、壁部材、介在部材、インナプレート、ミドルプレート、ミドルフレーム、第三領域、図示されず）や、第四筐体部材（第四部分、中間部材、隔部材、障壁部材、壁部材、介在部材、覆部材、シールド、第四領域、図示されず）等を有することができる。
【００１５】
筐体３は、金属材料や、合成樹脂材料等で構成されることができる。第一筐体部材３１および第二筐体部材３２は、比較的剛性の低い材料（第三筐体部材や第四筐体部材より剛性の低い材料、例えば合成樹脂材料等）で構成されることができる。なお、第一筐体部材３１や第二筐体部材３２の筐体３内側には、リブ等の壁部（突出部、突出壁部、図示されず）が設けられることができる。壁部により、筐体３の剛性が高くなりやすい。
【００１６】
また、本実施形態では、一例として、筐体３の面３ｂや面３ｐ等には、コネクタ（図示されず）や操作部（図示されず）等を設けることができる。コネクタは、例えば、電源ケーブル用のコネクタや、ＵＳＢ（universal serial bus）コネクタ、カードコネクタ、イヤホンやマイクのコネクタ等であることができる。操作部は、例えば、押しボタンや、押しスイッチ、スライドスイッチ、ポインティングデバイス、ダイヤル等であることができる。また、図２に示されるように、筐体３内に、カメラモジュール１０（カメラ、撮像装置）を設けることができる。カメラモジュール１０は、図１に示されるように、筐体３の壁部３ｋに設けられた開口部３ｓから露出している。
【００１７】
また、本実施形態では、一例として、図１に示されるように、表示装置４（表示部、ディスプレイ、パネル）の、面３ａ側に位置した表示画面４ａは、開口部３ｒを介して筐体３の前方（外方）に露出している。使用者は、前方側から開口部３ｒを介して表示画面４ａを視認することができる。表示装置４は、正面視では四角形状（本実施形態では一例として長方形状）に構成されている。また、表示装置４は、前後方向に薄い扁平な直方体状に構成されている。表示装置４は、例えば、液晶ディスプレイ（ＬＣＤ，liquid crystal display）や有機ＥＬディスプレイ（ＯＥＬＤ，organic electro-luminescent display）等である。
【００１８】
また、本実施形態では、一例として、表示装置４の前側（表側、壁部３ｋ側）には、入力操作パネル５（一例としてはタッチパネル、タッチセンサ、操作面）が設けられている。入力操作パネル５は、透明な比較的薄い四角形状に構成され、表示画面４ａを覆っている。操作者（ユーザ等）は、例えば、手指や部品（例えばスタイラス等、図示されず）等で入力操作パネル５に対して、触れる、押す、擦る、あるいは手指やスタイラス等を入力操作パネル５の近傍で動かす等の操作を行うことで、入力処理を実行することができる。また、表示装置４の表示画面４ａから出た光は、入力操作パネル５を通過して壁部３ｋの開口部３ｒから筐体３の前方（外方）へ出る。入力操作パネル５は、表示装置４内に設けられた所謂インセルタッチパネルとして構成されてもよい。入力操作パネル５は、入力部の一例である。
【００１９】
そして、本実施形態では、一例として、図１に示されるように、筐体３内には、表示装置４の後側（裏側、背後側、壁部３ｍ側、表示画面４ａとは反対側）に、一つ以上の基板６（回路基板、制御基板、メイン基板、電気部品、第一電気部品）が収容されている。基板６は、表示装置４と並行して設けられている。基板６は、壁部３ｋ，３ｍ，３ｎ等と離間した状態で、すなわち、壁部３ｋ，３ｍ，３ｎ等との間に空間（隙間）が形成された状態で、設けられている。
【００２０】
また、本実施形態では、一例として、基板６には、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の部品（電気部品、電子部品、図示されず）を実装することができる。また、制御回路は、例えば、映像信号処理回路や、チューナ部、ＨＤＭＩ（high-definition multimedia interface、登録商標）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）、ＳＳＤ（solid state drive）等）、音声信号処理回路等を、含むことができる。制御回路は、表示装置４の表示画面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。
【００２１】
また、本実施形態では、一例として、図２，３に示されるように、筐体３内には、第１の導体部１１（導体層、導体膜）が設けられている。具体的には、一例として、第１の導体部１１は、膜状（薄板状）に構成される。第１の導体部１１は、筐体３の壁部３ｍの面３ｂとは反対側の面３ｘ（内面、内側面）上に位置され、面３ｘ上を部分的に覆っている。第１の導体部１１は、筐体３が絶縁性の合成樹脂材料等で構成された場合に、グラウンド電極（グラウンド導体、共通グラウンド）として用いることができる。また、第１の導体部１１は、電磁ノイズを遮蔽する電磁シールドとして用いることもできる。第１の導体部１１は、導電性を有した金属部材（例えば、アルミ箔や、アルミテープ、スパッタ層等）として構成されうる。
【００２２】
また、本実施形態では、一例として、図２に示されるように、筐体３内には、カメラモジュール１０が設けられている。具体的には、カメラモジュール１０は、基板１０ａとカメラユニット１０ｂとを有する。基板１０ａは、筐体３の端部３ｃに沿って延びた細長い四角形状（長方形状）に構成されている。基板１０ａは、第１の導体部１１と同様に、筐体３の面３ｘ（内面、内側面）上に位置される。また、基板１０ａは、第１の導体部１１と平面視で重ならない（第１の導体部１１と外れた、第１の導体部１１よりも端部３ｃ側の）領域３ｙに位置される。基板１０ａの長手方向（図２の例では左右方向）の略中央部には、カメラユニット１０ｂが設けられる。また、基板１０ａの長手方向（図２の例では左右方向）の両端部には、導体部１０ｃが設けられる。導体部１０ｃは、グラウンド電極として用いることができる。導体部１０ｃは、基板１０ａの面１０ｄ（表面、上面）上に露出している。
【００２３】
また、本実施形態では、一例として、図２，３に示されるように、筐体３内には、第２の導体部１２（導体層、導体膜）が設けられている。この第２の導体部１２は、第１の導体部１１と基板１０ａの導体部１０ｃとを電気的に接続する。第１の導体部１１（筐体３のグラウンド電極）の電位と、基板１０ａの導体部１０ｃ（カメラモジュール１０のグラウンド電極）の電位とが異なると、ノイズが生じる虞がある。この点、本実施形態によれば、一例としては、第２の導体部１２によって、グラウンド電極の電位差、ひいては当該電位差に基づくノイズの発生を、抑制することができる。第２の導体部１２は、基板１０ａの長手方向（端部３ｃの延びる方向、図２の左右方向）と交差する方向（本実施形態では、一例として直交方向）に沿って延びた細長い四角形状（長方形状、帯状、短冊状）に構成されている。第２の導体部１２の一端部１２ａ（図２では下側の端部）は第１の導体部１１と重なり、当該第１の導体部１１と電気的に接続される。また、他端部１２ｂ（図２では上側の端部）は、基板１０ａの導体部１０ｃと重なり、当該導体部１０ｃと電気的に接続される。また、第２の導体部１２は、基板１０ａの導体部１０ｃのそれぞれと対応して設けられている。すなわち、本実施形態では、複数（本実施形態では、一例として二つ）の第２の導体部１２が、基板１０ａの長手方向（図２の例では左右方向）に間隔を空けて、設けられている。第２の導体部１２は、第１の導体部１１と同様に、導電性を有した金属部材（例えば、アルミ箔やアルミテープ等）として構成されうる。
【００２４】
また、本実施形態では、一例として、第１の導体部１１と第２の導体部１２との間には、導電性接着層９（導電性両面テープ）が位置されている。本実施形態では、一例として、導電性接着層９は、基板１０ａの長手方向と交差する方向（本実施形態では、一例として直交方向、図２では上下方向）に沿って延びた細長い四角形状（長方形状、帯状、短冊状）に構成されている。導電性接着層９は、第１の導体部１１と第２の導体部１２とを接着する。また、導電性接着層９は、導電性フィラー９ｃ（例えば、金属粒子等、図４参照）を含有している。この導電性フィラー９ｃを介して、第１の導体部１１と第２の導体部１２とが導通する。
【００２５】
そして、本実施形態では、一例として、導電性接着層９は、圧縮部９ａ（潰れ部、薄肉部）を有している。圧縮部９ａは、第１の導体部１１と導電性接着層９と第２の導体部１２とが重なる方向（積層方向、筐体３（壁部３ｍ）の厚さ方向、図３では上下方向）に圧縮されている。また、本実施形態では、一例として、複数の凸部１４（突起、突部、突出部）が設けられた治具１５（押圧部材）を用いて導電性接着層９に圧縮部９ａが形成される。具体的には、治具１５の本体部１５ａが図３の矢印方向（下方向）に押圧されることで、第１の導体部１１と導電性接着層９と第２の導体部１２とが、凸部１４と筐体３の壁部３ｍ（第２の部材）との間に挟まれることにより、形成される。圧縮部９ａでは、図５に示されるように、導電性接着層９の重なり方向の厚さが狭まる。よって、圧縮部９ａでは、圧縮部９ａでは無い部分（非圧縮部分、一般部分、図４参照）と比べて、導電性フィラー９ｃ同士が密集し、互いに接触しやすくなる。すなわち、本実施形態によれば、一例としては、導電性接着層９に圧縮部９ａが設けられるため、第１の導体部１１と第２の導体部１２との間の導電性が高まりやすい。
【００２６】
また、本実施形態では、一例として、第１の導体部１１または第２の導体部１２（図３の例では第２の導体部１２）の導電性接着層９側の面１２ｃ（下面）とは反対側の面１２ｄ（上面）に凹部１３（溝部、孔部、開口部）が設けられている。そして、本実施形態では、一例として、圧縮部９ａは、導電性接着層９の凹部１３と対応する位置に設けられている。よって、本実施形態によれば、一例としては、第２の導体部１２に凹部１３が設けられたことで、導電性接着層９に比較的容易に圧縮部９ａが形成されやすい。
【００２７】
また、本実施形態では、一例として、凹部１３に入る凸部１４を有した治具１５（第１の部材、押圧部材）が用いられている。よって、本実施形態によれば、一例としては、治具１５の凸部１４によって、導電性接着層９に比較的容易に圧縮部９ａが形成されやすい。
【００２８】
また、本実施形態では、一例として、導電性接着層９は、複数の圧縮部９ａを有している。よって、本実施形態によれば、一例としては、圧縮部９ａによる導通箇所が増えやすい。よって、本実施形態によれば、一例としては、第１の導体部１１と第２の導体部１２との間の導電性が高まりやすい。
【００２９】
また、本実施形態では、一例として、図２に示されるように、複数の圧縮部９ａ（ならびに複数の凹部１３）が、千鳥状に配置されている。よって、本実施形態によれば、一例としては、凹部１３（圧縮部９ａ）の密度が高まりやすい。よって、本実施形態によれば、一例としては、第１の導体部１１と第２の導体部１２との間の導電性がより効率よく高まりやすい。
【００３０】
また、本実施形態では、一例として、図３に示されるように、凸部１４が、治具１５の本体部１５ａから半球状に突出している。よって、本実施形態によれば、一例としては、先端が尖った凸部と比べて、導電性接着層９の損傷が抑制されやすい。
【００３１】
なお、本実施形態では、一例として、凹部１３（圧縮部９ａ）は、平面視で、第１の導体部１１と第２の導体部１２とが重なる部分にのみ設けられているが、第２の導体部１２と基板１０ａの導体部１０ｃとが重なる部分にも設けることができる。
【００３２】
＜第２実施形態＞
本実施形態では、一例として、図６に示されるように、電子機器１Ａは、第一筐体３Ａと第二筐体２Ａとを備える。具体的に、第一筐体３Ａ（第一部分、筐体）は、表示装置４の少なくとも一部を収容する。第二筐体２Ａは、基板６Ａを収容する。第二筐体２Ａには、キーボード７（入力操作部、第一入力操作部、入力受付部、入力部）や、ポインティングデバイス８ａ（入力操作部、第二入力操作部、入力受付部、入力部）、クリックボタン８ｂ（入力操作部、第三入力操作部、入力受付部、入力部）等が設けられる。
【００３３】
第一筐体３Ａと第二筐体２Ａとは、ヒンジ部２３（接続部、連結部、回動支持部、ヒンジ機構、接続機構、連結機構、回動支持機構）によって回動可能に接続されている。第一筐体３Ａおよび第二筐体２Ａは、ヒンジ部２３により、少なくとも展開状態（図６参照）と、折り畳み状態（図示されず）との間で回動可能に接続されている。すなわち、本実施形態では、ヒンジ部２３は、第一筐体３Ａと第二筐体２Ａとを、回動軸Ａｘ回りに回動可能に、接続している。表示装置４の表示画面４ａは、第一筐体３Ａの面３ａ（前面、正面、第一面、第一面部）に設けられた開口部３ｒから露出している。また、キーボード７や、ポインティングデバイス８ａ、クリックボタン８ｂ等は、第二筐体２Ａの面２ａ（上面、正面、第一面、第一面部）に露出している。折り畳み状態では、第一筐体３Ａの面３ａと第二筐体２Ａの面２ａとが重なり、表示画面４ａや、キーボード７、ポインティングデバイス８ａ、クリックボタン８ｂ等が、第一筐体３Ａおよび第二筐体２Ａに隠される。展開状態では、第一筐体３Ａの面３ａおよび第二筐体２Ａの面２ａが露出され、表示画面４ａや、キーボード７、ポインティングデバイス８ａ、クリックボタン８ｂ等が使用可能（視認可能あるいは操作可能）になる。
【００３４】
第一筐体３Ａは、本実施形態では、一例として、正面視および背面視では四角形状（本実施形態では、一例として長方形状）に構成されている。また、第一筐体３Ａは、本実施形態では、一例として、前後方向に薄い扁平な直方体状に構成されている。第一筐体３Ａは、図６，７に示されるように、面３ａ（前面、正面、第一面、第一面部）とこの反対側の面３ｂ（後面、背面、第二面、第二面部）と、を有する。また、第一筐体３Ａは、図６に示されるように、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。また、端部３ｄ，３ｆは、短辺部の一例である。
【００３５】
また、第一筐体３Ａは、面３ａを有する壁部３ｋ（第一部分、プレート、フレーム、前壁部、表壁部、天壁部）と、面３ｂを有する壁部３ｍ（第二部分、プレート、後壁部、裏壁部、底壁部）と、を有する。壁部３ｋ，３ｍは、四角形状（本実施形態では、一例として長方形状）である。また、第一筐体３Ａは、壁部３ｋと壁部３ｍとの間に亘った面３ｐ（側面、周面、第三面）を有する四つの壁部３ｎ（第三部分、プレート、側壁部、端壁部、立壁部、亘部）を有する。なお、壁部３ｋには、一例としては四角形状の開口部３ｒが設けられている。よって、壁部３ｋは、四角形状かつ枠状である。
【００３６】
さらに、第一筐体３Ａは、複数の部品（分割体）が組み合わせられて構成されることができる。第一筐体３Ａは、本実施形態では、一例として、少なくとも壁部３ｋを含む第一筐体部材３１（第一部分、前側部材、マスク、マスク部、カバー、フロントカバー、カバー部、第一領域）と、少なくとも壁部３ｍを含む第二筐体部材３２（第二部分、後側部材、ベース、ベース部、ボトム、ボトム部、カバー、リヤカバー、カバー部、第二領域）とを有する。壁部３ｎは、第一筐体部材３１および第二筐体部材３２のうち少なくともいずれか一方（例えば、第二筐体部材３２）に含まれる。また、第一筐体３Ａは、第一筐体部材３１および第二筐体部材３２とは別に、これらの間に位置した第三筐体部材（第三部分、中間部材、隔部材、障壁部材、壁部材、介在部材、インナプレート、ミドルプレート、ミドルフレーム、第三領域、図示されず）や、第四筐体部材（第四部分、中間部材、隔部材、障壁部材、壁部材、介在部材、覆部材、シールド、第四領域、図示されず）等を有することができる。
【００３７】
第一筐体３Ａは、金属材料や、合成樹脂材料等で構成されることができる。第一筐体部材３１および第二筐体部材３２は、比較的剛性の低い材料（第三筐体部材や第四筐体部材より剛性の低い材料、例えば合成樹脂材料や金属材料等）で構成されることができる。なお、第一筐体部材３１や第二筐体部材３２の第一筐体３Ａ内側には、リブ等の壁部（突出部、突出壁部、図示されず）が設けられることができる。壁部により、第一筐体３Ａの剛性が高くなりやすい。
【００３８】
また、本実施形態では、一例として、図６，７に示されるように、第一筐体３Ａ内には、カメラモジュール１０（カメラ、撮像装置）を設けることができる。カメラモジュール１０は、第一筐体３Ａの壁部３ｋに設けられた開口部３ｓを介して露出している。なお、第一筐体３Ａの面３ｐに、コネクタや操作部等を設けることができる。
【００３９】
また、本実施形態では、一例として、図６に示されるように、表示装置４（表示部、ディスプレイ、パネル）の、面３ａ側に位置した表示画面４ａは、開口部３ｒを介して第一筐体３Ａの前方（外方）に露出している。使用者は、前方側から開口部３ｒを介して表示画面４ａを視認することができる。表示装置４は、正面視では四角形状（本実施形態では一例として長方形状）に構成されている。また、表示装置４は、前後方向に薄い扁平な直方体状に構成されている。表示装置４は、例えば、液晶ディスプレイ（ＬＣＤ，liquid crystal display）や有機ＥＬディスプレイ（ＯＥＬＤ，organic electro-luminescent display）等である。
【００４０】
また、本実施形態では、一例として、表示装置４の前側（表側、壁部３ｋ側）には、入力操作パネル５（一例としてはタッチパネル、タッチセンサ、操作面）が設けられている。入力操作パネル５は、透明な比較的薄い四角形状に構成され、表示画面４ａを覆っている。操作者（ユーザ等）は、例えば、手指や部品（例えばスタイラス等、図示されず）等で入力操作パネル５に対して、触れる、押す、擦る、あるいは手指やスタイラス等を入力操作パネル５の近傍で動かす等の操作を行うことで、入力処理を実行することができる。また、表示装置４の表示画面４ａから出た光は、入力操作パネル５を通過して壁部３ｋの開口部３ｒから第一筐体３Ａの前方（外方）へ出る。入力操作パネル５は、表示装置４内に設けられた所謂インセルタッチパネルとして構成されてもよい。入力操作パネル５は、入力部の一例である。
【００４１】
第二筐体２Ａは、本実施形態では、一例として、正面視および背面視では四角形状（本実施形態では、一例として長方形状）に構成されている。また、第二筐体２Ａは、本実施形態では、一例として、前後方向に薄い扁平な直方体状に構成されている。第二筐体２Ａは、面２ａ（上面、正面、第一面、第一面部）とこの反対側の面２ｂ（下面、背面、第二面、第二面部）と、を有する。また、第二筐体２Ａは、図６に示されるように、正面視では、四つの端部２ｃ〜２ｆ（辺部、縁部）と、四つの角部２ｇ〜２ｊ（尖部、曲部、端部）と、を有する。端部２ｃ，２ｅは、長辺部の一例である。また、端部２ｄ，２ｆは、短辺部の一例である。
【００４２】
また、第二筐体２Ａは、面２ａを有する壁部２ｋ（第一部分、プレート、フレーム、前壁部、表壁部、天壁部）と、面２ｂを有する壁部２ｍ（第二部分、プレート、後壁部、裏壁部、底壁部）と、を有する。壁部２ｋ，２ｍは、四角形状（本実施形態では、一例として長方形状）である。また、第二筐体２Ａは、壁部２ｋと壁部２ｍとの間に亘った面２ｐ（側面、周面、第三面）を有する四つの壁部２ｎ（第三部分、プレート、側壁部、端壁部、立壁部、亘部）を有する。なお、壁部２ｋには、一例としては四角形状の開口部２ｒが設けられている。よって、壁部２ｋは、四角形状かつ枠状である。
【００４３】
さらに、第二筐体２Ａは、複数の部品（分割体）が組み合わせられて構成されることができる。第二筐体２Ａは、本実施形態では、一例として、少なくとも壁部２ｋを含む第一筐体部材２１（第一部分、前側部材、マスク、マスク部、カバー、フロントカバー、カバー部、第一領域）と、少なくとも壁部２ｍを含む第二筐体部材２２（第二部分、後側部材、ベース、ベース部、ボトム、ボトム部、カバー、リヤカバー、カバー部、第二領域）とを有する。壁部２ｎは、第一筐体部材２１および第二筐体部材２２のうち少なくともいずれか一方（例えば、第二筐体部材２２）に含まれる。また、第二筐体２Ａは、第一筐体部材２１および第二筐体部材２２とは別に、これらの間に位置した第三筐体部材（第三部分、中間部材、隔部材、障壁部材、壁部材、介在部材、インナプレート、ミドルプレート、ミドルフレーム、第三領域、図示されず）や、第四筐体部材（第四部分、中間部材、隔部材、障壁部材、壁部材、介在部材、覆部材、シールド、第四領域、図示されず）等を有することができる。
【００４４】
第二筐体２Ａは、金属材料や、合成樹脂材料等で構成されることができる。第一筐体部材２１および第二筐体部材２２は、比較的剛性の低い材料（第三筐体部材や第四筐体部材より剛性の低い材料、例えば合成樹脂材料等）で構成されることができる。なお、第一筐体部材２１や第二筐体部材２２の第二筐体２Ａ内側には、リブ等の壁部（突出部、突出壁部、図示されず）が設けられることができる。壁部により、第二筐体２Ａの剛性が高くなりやすい。
【００４５】
また、本実施形態では、一例として、第二筐体２Ａの面２ｐ等には、コネクタ等（図示されず）が設けられることができる。コネクタは、例えば、電源ケーブル用のコネクタや、ＵＳＢ（universal serial bus）コネクタ、カードコネクタ、イヤホンやマイクのコネクタ等であることができる。なお、第二筐体２Ａの面２ａに、コネクタや操作部を設けることができる。
【００４６】
また、本実施形態では、一例として、図６に示されるように、キーボード７の操作面７ａ（面、上面）は、開口部２ｒを介して第二筐体２Ａの前方（外方）に露出している。面２ａにおいて、キーボード７は、端部２ｅ側に寄せて位置され、ポインティングデバイス８ａならびにクリックボタン８ｂは端部２ｅとは反対側の端部２ｃ側に寄せて配置されている。端部２ｅは奥行方向（前後方向）の奥側に位置され、端部２ｃは手前側に位置されている。
【００４７】
そして、本実施形態では、一例として、第二筐体２Ａ内には、キーボード７の後側（裏側、背後側、壁部２ｍ側、操作面７ａとは反対側）に、一つ以上の基板６Ａ（回路基板、制御基板、メイン基板、電気部品、第一電気部品）が収容されている。基板６Ａは、キーボード７と並行して設けられている。基板６Ａは、壁部２ｋ，２ｍ，２ｎ等と離間した状態で、すなわち、壁部２ｋ，２ｍ，２ｎ等との間に空間（隙間）が形成された状態で、設けられている。
【００４８】
また、本実施形態では、一例として、基板６Ａには、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の部品（電気部品、電子部品、図示されず）を実装することができる。また、制御回路は、例えば、映像信号処理回路や、チューナ部、ＨＤＭＩ（high-definition multimedia interface、登録商標）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）、ＳＳＤ（solid state drive）等）、音声信号処理回路等を、含むことができる。制御回路は、表示装置４の表示画面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。
【００４９】
また、本実施形態では、一例として、図７に示されるように、第一筐体３Ａは、壁部３ｍ（第二筐体部材３２）のうち少なくとも一部が、金属材料で構成されている。すなわち、本実施形態では、一例として、壁部３ｍの金属材料で構成された部分３ｍ１が、第１の導体部１１である。第１の導体部１１は、グラウンド電極（グラウンド部、共通グラウンド）として用いることができる。また、第１の導体部１１は、電磁ノイズを遮蔽する電磁シールドとして用いることもできる。
【００５０】
また、本実施形態では、一例として、図７に示されるように、第一筐体３Ａ内には、上記第１実施形態と同様のカメラモジュール１０が設けられている（図２参照）。具体的には、カメラモジュール１０は、基板１０ａとカメラユニット１０ｂとを有する。基板１０ａは、第一筐体３Ａの端部３ｃに沿って延びた細長い四角形状（長方形状）に構成されている。また、基板１０ａの長手方向の略中央部（図２参照）には、カメラユニット１０ｂが設けられる。また、基板１０ａの長手方向の両端部（図２参照）には、導体部１０ｃが設けられる。導体部１０ｃは、グラウンド電極として用いることができる。導体部１０ｃは、基板１０ａの面１０ｄ（表面、上面）上に露出している。
【００５１】
また、本実施形態では、一例として、図７に示されるように、第一筐体３Ａ内には、第２の導体部１２（導体層、導体膜）が設けられている。この第２の導体部１２は、第１の導体部１１と基板１０ａの導体部１０ｃとを電気的に接続する。第１の導体部１１（第一筐体３Ａのグラウンド電極）の電位と、基板１０ａの導体部１０ｃ（カメラモジュール１０のグラウンド電極）の電位とが異なると、ノイズが生じる虞がある。この点、本実施形態によれば、一例としては、第２の導体部１２によって、グラウンド電極の電位差、ひいては当該電位差に基づくノイズの発生を、抑制することができる。第２の導体部１２は、基板１０ａの長手方向（端部３ｃの延びる方向、図２の左右方向）と交差する方向（本実施形態では、一例として直交方向）に沿って延びた細長い四角形状（長方形状、帯状、短冊状）に構成されている。第２の導体部１２の一端部１２ａ（図２では下側の端部）は第１の導体部１１と重なり、当該第１の導体部１１と電気的に接続される。また、他端部１２ｂ（図２では上側の端部）は、基板１０ａの導体部１０ｃと重なり、当該導体部１０ｃと電気的に接続される。また、第２の導体部１２は、基板１０ａの導体部１０ｃのそれぞれと対応して設けられている。すなわち、本実施形態では、複数（本実施形態では、一例として二つ）の第２の導体部１２が、基板１０ａの長手方向に間隔を空けて設けられている。第２の導体部１２は、導電性を有した金属部材（例えば、アルミ箔やアルミテープ等）として構成されうる。
【００５２】
また、本実施形態では、一例として、第１の導体部１１と第２の導体部１２との間には、導電性接着層９（導電性両面テープ）が位置されている。本実施形態では、一例として、導電性接着層９は、基板１０ａの長手方向と交差する方向（本実施形態では、一例として直交方向）に沿って延びた細長い四角形状（長方形状、帯状、短冊状）に構成されている。導電性接着層９は、第１の導体部１１と第２の導体部１２とを接着する。また、導電性接着層９は、導電性フィラー９ｃ（例えば、金属粒子等、図４参照）を含有している。この導電性フィラー９ｃを介して、第１の導体部１１と第２の導体部１２とが導通する。
【００５３】
そして、本実施形態でも、一例として、導電性接着層９は、圧縮部９ａ（潰れ部、薄肉部）を有している。圧縮部９ａは、第１の導体部１１と導電性接着層９と第２の導体部１２とが重なる方向（積層方向、筐体３（壁部３ｍ）の厚さ方向、図７では左右方向）に圧縮されている。また、本実施形態では、一例として、第一筐体３Ａの壁部３ｍには、複数の凸部１４（突起、突部、突出部）が設けられている。そして、本実施形態では、一例として、第一筐体３Ａの壁部３ｍ（第１の部材、第１の導体部１１）に設けられた凸部１４と表示装置４（第２の部材）との間に、導電性接着層９と第２の導体部１２とが挟まれることにより、圧縮部９ａが形成される。圧縮部９ａでは、図７に示されるように、導電性接着層９の重なり方向の厚さが狭まる。よって、圧縮部９ａでは、圧縮部９ａでは無い部分（非圧縮部分、一般部分、図４参照）と比べて、導電性フィラー９ｃ同士が密集し、互いに接触しやすくなる。すなわち、本実施形態によれば、一例としては、導電性接着層９に圧縮部９ａが設けられるため、第１の導体部１１と第２の導体部１２との間の導電性が高まりやすい。
【００５４】
また、本実施形態では、一例として、図７に示されるように、導電性接着層９に凹部１３（溝部、孔部、開口部、スリット）が設けられる。よって、本実施形態によれば、一例としては、導電性接着層９に比較的容易に圧縮部９ａが形成されやすい。
【００５５】
また、本実施形態では、一例として、凹部１３に壁部３ｍ（第１の部材）の凸部１４が入る。よって、本実施形態によれば、一例としては、第一筐体３Ａの壁部３ｍによって、導電性接着層９に比較的容易に圧縮部９ａが形成されやすい。
【００５６】
また、本実施形態では、一例として、第一筐体３Ａの壁部３ｍ（第１の部材）との間に少なくとも導電性接着層９（図７の例では導電性接着層９と第２の導体部１２と）を挟む表示装置４（第２の部材）を備えている。よって、本実施形態によれば、一例としては、表示装置４を利用して圧縮部９ａを形成することができる。よって、一例としては、第２の部材として表示装置４とは別の部品を用いる場合に比べて、構成がより小さくなりやすい。また、一例としては、圧縮部９ａが維持されやすい。
【００５７】
また、本実施形態でも、一例として、導電性接着層９は、複数の圧縮部９ａを有している。すなわち、本実施形態では、一例として、壁部３ｍに設けられた複数の凸部１４によって、導電性接着層９に複数の凹部１３が形成される。よって、本実施形態によれば、一例としては、圧縮部９ａによる導通箇所が増えやすい。よって、一例としては、第１の導体部１１と第２の導体部１２との間の導電性が高まりやすい。
【００５８】
また、本実施形態でも、一例として、複数の圧縮部９ａ（ならびに複数の凹部１３）は、千鳥状に配置されうる。よって、本実施形態によれば、一例としては、凹部１３（圧縮部９ａ）の密度が高まりやすい。よって、本実施形態によれば、一例としては、第１の導体部１１と第２の導体部１２との間の導電性がより効率よく高まりやすい。
【００５９】
また、本実施形態でも、一例として、図７に示されるように、凸部１４が、壁部３ｍの面３ｘ（内面、内側面、面３ｂとは反対側の面）から半球状に突出している。よって、本実施形態によれば、一例としては、先端が尖った凸部と比べて、導電性接着層９の損傷が抑制されやすい。
【００６０】
なお、本実施形態では、一例として、第一筐体３Ａの壁部３ｍの一部が、第１の導体部１１であるが、第１の導体部１１は、壁部３ｍの面３ｘ（内面、内側面）上に、壁部３ｍとは別に設けられうる。その場合、第１の導体部１１の導電性接着層９とは反対側の面に凹部１３が設けられ、圧縮部９ａは、導電性接着層９の凹部１３と対応する位置に設けられる。また、壁部３ｍ（第１の部材）には、その凹部１３に入る凸部１４が設けられる。また、壁部３ｍ（第１の部材）と表示装置４（第２の部材）との間に、第１の導体部１１と導電性接着層９と第２の導体部１２とが挟まれる。
【００６１】
また、本実施形態では、一例として、導電性接着層９と第２の導体部１２とが、壁部３ｍと表示装置４との間に挟まれることで圧縮部９ａが形成されたが、圧縮部９ａは、作業者が手指や工具等を用いて、第２の導体部１２を凸部１４に向けて押圧することによっても形成されうる。
【００６２】
また、本実施形態でも、一例として、凹部１３（圧縮部９ａ）が、第１の導体部１１と第２の導体部１２とが重なる部分にのみ設けられているが、第２の導体部１２と基板１０ａの導体部１０ｃとが重なる部分にも設けることができる。
【００６３】
＜第１変形例＞
図８，９に示される変形例は、上記実施形態にかかる電子機器１Ａ（またはテレビジョン受像機１）と同様の構成を備えている。よって、本変形例によっても、上記実施形態と同様の構成に基づく同様の結果（効果）が得られる。図８，９に示される凸部１４Ａは、例えば、上記第２実施形態の凸部１４（図７参照）に置き換えることができる。
【００６４】
ただし、本変形例では、一例として、図８，９に示されるように、凸部１４Ａ（壁部、リブ、突出部）は、壁部３ｍの面３ｘ（内面、内側面、面３ｂとは反対側の面）から壁状に突出している。本変形例では、一例として、凸部１４Ａは、互いに交差する（本実施形態では、一例として直交する）複数の第１の壁部１４ａ（第１のリブ、横壁部）と複数の第２の壁部１４ｂ（第２のリブ、縦壁部）とを有している。第１の壁部１４ａならびに第２の壁部１４ｂは、いずれも長方形状の板状に構成されている。凸部１４Ａは、互いに平行な複数の第１の壁部１４ａと互いに平行な複数の第２の壁部１４ｂとが、平面視で互いに格子状（井桁状、ラダー状）に接続されて（一体化されて）構成されている。よって、本変形例によれば、一例としては、壁部３ｍに設けられた壁状の凸部１４Ａによって、壁部３ｍの剛性が高まりやすい。また、一例としては、壁状の凸部１４Ａによって、圧縮部９ａによる導通箇所が増加しやすい。よって、本変形例によれば、一例としては、第１の導体部１１と第２の導体部１２との間の導電性が高まりやすい。
【００６５】
＜第２変形例＞
図１０に示される変形例は、上記実施形態にかかる電子機器１Ａ（またはテレビジョン受像機１）と同様の構成を備えている。よって、本変形例によっても、上記実施形態と同様の構成に基づく同様の結果（効果）が得られる。図１０に示される凸部１４Ｂは、例えば、上記第２実施形態の凸部１４（図７参照）に置き換えることができる。
【００６６】
ただし、本変形例では、一例として、図１０に示されるように、凸部１４Ｂ（壁部、リブ、突出部）は、壁部３ｍの面３ｘ（内面、内側面、面３ｂとは反対側の面）から壁状に突出している。本変形例では、一例として、凸部１４Ｂは、互いに平行な複数の壁部１４ａ（リブ、横壁部）を有している。壁部１４ａは、長方形状の板状に構成されている。よって、本変形例によれば、一例としては、壁部３ｍに設けられた壁状の凸部１４Ｂによって、壁部３ｍの剛性が高まりやすい。また、一例としては、壁状の凸部１４Ｂによって、圧縮部９ａによる導通箇所が増加しやすい。よって、本変形例によれば、一例としては、第１の導体部１１と第２の導体部１２との間の導電性が高まりやすい。
【００６７】
＜第３変形例＞
図１１に示される変形例は、上記実施形態にかかる電子機器１Ａ（またはテレビジョン受像機１）と同様の構成を備えている。よって、本変形例によっても、上記実施形態と同様の構成に基づく同様の結果（効果）が得られる。図１１に示される凸部１４Ｃは、例えば、上記第２実施形態の凸部１４（図７参照）に置き換えることができる。
【００６８】
ただし、本変形例では、一例として、図１１に示されるように、凸部１４Ｃ（壁部、リブ、突出部）は、壁部３ｍの面３ｘ（内面、内側面、面３ｂとは反対側の面）から壁状に突出している。本変形例では、一例として、凸部１４Ｃは、複数の壁部１４ｂ（リブ、縦壁部）を有している。壁部１４ｂは、長方形状の板状に構成されている。ただし、壁部１４ｂは、第２変形例の壁部１４ａとは異なる方向に延びている。よって、本変形例によれば、一例としては、壁部３ｍに設けられた壁状の凸部１４Ｃによって、壁部３ｍの剛性が高まりやすい。また、一例としては、壁状の凸部１４Ｃによって、圧縮部９ａによる導通箇所が増加しやすい。よって、本変形例によれば、一例としては、第１の導体部１１と第２の導体部１２との間の導電性が高まりやすい。
【００６９】
＜第４変形例＞
図１２に示される変形例は、上記実施形態にかかる電子機器１Ａ（またはテレビジョン受像機１）と同様の構成を備えている。よって、本変形例によっても、上記実施形態と同様の構成に基づく同様の結果（効果）が得られる。図１２に示される凸部１４Ｄは、例えば、上記第２実施形態の凸部１４（図７参照）に置き換えることができる。
【００７０】
ただし、本変形例では、一例として、図１２に示されるように、凸部１４Ｄ（壁部、リブ、突出部）は、壁部３ｍの面３ｘ（内面、内側面、面３ｂとは反対側の面）から壁状に突出している。本変形例では、一例として、凸部１４Ｄは、互いに交差する（本実施形態では、一例として直交する）第１の壁部１４ｃ（第１のリブ）と第２の壁部１４ｄ（第２のリブ）とを有している。第１の壁部１４ｃならびに第２の壁部１４ｄは、いずれも長方形状の板状に構成されている。凸部１４Ｄは、第１の壁部１４ｃと第２の壁部１４ｄとが平面視でＸ字状に接続されて（一体化されて）構成されている。また、本変形例では、一例として、壁部３ｍの面３ｘに、複数の凸部１４Ｄが設けられ、それら複数の凸部１４Ｄが、平面視で、千鳥状に配置されている。よって、本変形例によれば、一例としては、壁部３ｍに設けられた壁状の凸部１４Ｄによって、壁部３ｍの剛性が高まりやすい。また、一例としては、千鳥状に配置された複数の凸部１４Ｄによって、圧縮部９ａの密度が高まりやすい。よって、本変形例によれば、一例としては、第１の導体部１１と第２の導体部１２との間の導電性がより高まりやすい。
【００７１】
＜第５変形例＞
図１３に示される変形例は、上記実施形態にかかる電子機器１Ａ（またはテレビジョン受像機１）と同様の構成を備えている。よって、本変形例によっても、上記実施形態と同様の構成に基づく同様の結果（効果）が得られる。図１３に示される凸部１４Ｅは、例えば、上記第２実施形態の凸部１４（図７参照）に置き換えることができる。
【００７２】
ただし、本変形例では、一例として、図１３に示されるように、凸部１４Ｅ（突出部）は、壁部３ｍの面３ｘ（内面、内側面、面３ｂとは反対側の面）から三角錐状に突出している。また、本変形例では、一例として、壁部３ｍの面３ｘに、複数の凸部１４Ｅが設けられ、それら複数の凸部１４Ｅが、平面視で、千鳥状に配置されている。本変形例によっても、他の実施形態や他の変形例と同様の結果（効果）が得られる。
【００７３】
＜第６変形例＞
図１４，１５に示される変形例は、上記実施形態にかかる電子機器１Ａ（またはテレビジョン受像機１）と同様の構成を備えている。よって、本変形例によっても、上記実施形態と同様の構成に基づく同様の結果（効果）が得られる。図１４，１５に示される凸部１４Ｆは、例えば、上記第２実施形態の凸部１４（図７参照）に置き換えることができる。
【００７４】
ただし、本変形例では、一例として、図１４に示されるように、凸部１４Ｆ（壁部、リブ、突出部）は、壁部３ｍの面３ｘ（内面、内側面、面３ｂとは反対側の面）から壁状に突出している。本変形例では、一例として、凸部１４Ｆは、互いに交差する（本実施形態では、一例として直交する）第１の壁部１４ａ（第１のリブ、横壁部）と一対の第２の壁部１４ｂ，１４ｂ（第２のリブ、縦壁部）とを有している。第１の壁部１４ａならびに第２の壁部１４ｂは、いずれも長方形状の板状に構成されている。凸部１４Ｆは、第１の壁部１４ａと一対の第２の壁部１４ｂ，１４ｂとが平面視でＨ字状に接続されて（一体化されて）構成されている。また、第１の壁部１４ａの面３ｘからの突出高さは、第２の壁部１４ｂの面３ｘからの突出高さよりやや低い。また、本変形例では、一例として、壁部３ｍの面３ｘに、複数の凸部１４Ｆが設けられ、それら複数の凸部１４Ｆが、平面視で、千鳥状に配置されている。よって、本変形例によれば、一例としては、壁部３ｍに設けられた壁状の凸部１４Ｆによって、壁部３ｍの剛性が高まりやすい。また、一例としては、千鳥状に配置された複数の凸部１４Ｆによって、圧縮部９ａの密度が高まりやすい。よって、本変形例によれば、一例としては、第１の導体部１１と第２の導体部１２との間の導電性がより高まりやすい。
【００７５】
＜第７変形例＞
図１６に示される変形例は、上記実施形態にかかる電子機器１Ａ（またはテレビジョン受像機１）と同様の構成を備えている。よって、本変形例によっても、上記実施形態と同様の構成に基づく同様の結果（効果）が得られる。図１６に示される凸部１４Ｇは、例えば、上記第２実施形態の凸部１４（図７参照）に置き換えることができる。
【００７６】
ただし、本変形例でも、一例として、図１６に示されるように、凸部１４Ｇ（壁部、リブ、突出部）は、壁部３ｍの面３ｘ（内面、内側面、面３ｂとは反対側の面）から壁状に突出している。本変形例では、一例として、凸部１４Ｇは、複数の壁部１４ａ（リブ、横壁部）を有している。壁部１４ａは、長方形状の板状に構成されている。また、複数の壁部１４ａは、互いに平行な姿勢で、平面視で、千鳥状に配置されている。よって、本変形例によれば、一例としては、千鳥状に配置された複数の凸部１４Ｇ（壁部１４ａ）によって、圧縮部９ａの密度が高まりやすい。よって、本変形例によれば、一例としては、第１の導体部１１と第２の導体部１２との間の導電性がより高まりやすい。
【００７７】
＜第８変形例＞
図１７に示される変形例は、上記実施形態にかかる電子機器１Ａ（またはテレビジョン受像機１）と同様の構成を備えている。よって、本変形例によっても、上記実施形態と同様の構成に基づく同様の結果（効果）が得られる。図１７に示される凸部１４Ｈは、例えば、上記第２実施形態の凸部１４（図７参照）に置き換えることができる。
【００７８】
ただし、本変形例では、一例として、図１７に示されるように、凸部１４Ｈ（突出部）は、壁部３ｍの面３ｘ（内面、内側面、面３ｂとは反対側の面）から半球状に突出している。本変形例では、一例として、壁部３ｍの面３ｘに、複数の凸部１４Ｈが密集して設けられている。複数の凸部１４Ｈは、隣接するもの同士が互いに接触して位置されている。よって、本変形例によれば、一例としては、密集して位置された複数の凸部１４Ｈによって、圧縮部９ａの密度が高まりやすい。よって、本変形例によれば、一例としては、第１の導体部１１と第２の導体部１２との間の導電性がより効率よく高まりやすい。
【００７９】
＜第９変形例＞
図１８に示される変形例は、上記実施形態にかかる電子機器１Ａ（またはテレビジョン受像機１）と同様の構成を備えている。よって、本変形例によっても、上記実施形態と同様の構成に基づく同様の結果（効果）が得られる。図１８に示される凸部１４Ｉは、例えば、上記第２実施形態の凸部１４（図７参照）に置き換えることができる。
【００８０】
ただし、本変形例では、一例として、図１８に示されるように、凸部１４Ｉ（壁部、リブ、突出部）は、壁部３ｍの面３ｘ（内面、内側面、面３ｂとは反対側の面）から壁状に突出している。本変形例では、一例として、凸部１４Ｉは、平面視で、ハニカム状（ハニカム形状、ハニカム構造、蜂の巣状、六角形状）に構成されている。よって、本変形例によれば、一例としては、ハニカム状の凸部１４Ｉによって、壁部３ｍの剛性が高まりやすい。また、一例としては、凸部１４Ｉによって、圧縮部９ａの密度が高まりやすい。よって、本変形例によれば、一例としては、第１の導体部１１と第２の導体部１２との間の導電性がより効率よく高まりやすい。
【００８１】
＜第１０変形例＞
図１９，２０に示される変形例は、上記実施形態にかかる電子機器１Ａ（またはテレビジョン受像機１）と同様の構成を備えている。よって、本変形例によっても、上記実施形態と同様の構成に基づく同様の結果（効果）が得られる。図１９，２０に示される凸部１４Ｊは、例えば、上記第２実施形態の凸部１４（図７参照）に置き換えることができる。
【００８２】
ただし、本変形例では、一例として、図１９，２０に示されるように、凸部１４Ｊ（突出部）は、壁部３ｍの面３ｘ（内面、内側面、面３ｂとは反対側の面）から四角錐状に突出している。また、本変形例では、一例として、壁部３ｍの面３ｘに、複数の凸部１４Ｊが設けられ、それら複数の凸部１４Ｊが、平面視で、千鳥状に配置されている。本変形例によっても、他の実施形態や他の変形例と同様の結果（効果）が得られる。
【００８３】
＜第１１変形例＞
図２１に示される変形例は、上記実施形態にかかる電子機器１Ａ（またはテレビジョン受像機１）と同様の構成を備えている。よって、本変形例によっても、上記実施形態と同様の構成に基づく同様の結果（効果）が得られる。図２１に示される凸部１４Ｋは、例えば、上記第２実施形態の凸部１４（図７参照）に置き換えることができる。
【００８４】
ただし、本変形例では、一例として、図２１に示されるように、凸部１４Ｋ（壁部、リブ、突出部）は、壁部３ｍの面３ｘ（内面、内側面、面３ｂとは反対側の面）から壁状に突出している。本変形例では、一例として、凸部１４Ｋは、複数の壁部１４ｃ（リブ）を有している。壁部１４ｃは、長方形状の板状に構成されている。また、複数の壁部１４ｃは、互いに平行な姿勢で、平面視で、千鳥状に配置されている。よって、本変形例によれば、一例としては、千鳥状に配置された複数の凸部１４Ｋ（壁部１４ｃ）によって、圧縮部９ａの密度が高まりやすい。よって、本変形例によれば、一例としては、第１の導体部１１と第２の導体部１２との間の導電性がより高まりやすい。
【００８５】
なお、上記第１〜第１１変形例では、凸部１４Ａ〜１４Ｋを、上記第２実施形態の壁部３ｍに設けられた凸部１４に置き換えた場合を例示したが、上記第１実施形態の治具１５に設けられた凸部１４に置き換えることもできる。また、凸部１４，１４Ａ〜１４Ｋは、表示装置４の第２の導体部１２に面した部分に設けることもできる。
【００８６】
＜第３実施形態＞
図２２に示される実施形態は、上記実施形態にかかるテレビジョン受像機１（または電子機器１Ａ）と同様の構成を備えている。よって、本実施形態によっても、上記実施形態と同様の構成に基づく同様の結果（効果）が得られる。図２２に示される接着層９Ａは、例えば、上記第１実施形態の図３に示される導電性接着層９に置き換えることができる。
【００８７】
ただし、本実施形態では、一例として、図２２に示されるように、接着層９Ａには、開口部９ｅが設けられている。本実施形態では、一例として、接着層９Ａの開口部９ｅは、壁部３ｍの凸部１４と治具１５の凸部１４とに位置決めされ、壁部３ｍの厚さ方向（図２２の上下方向）に重なっている。第１の導体部１１と第２の導体部１２とは、壁部３ｍ（の凸部１４）と治具１５（の凸部１４）との間に挟まれる。よって、本実施形態では、一例としては、第１の導体部１１（一方）には、開口部９ｅ内で、第２の導体部１２（他方）側へ向けて突出する突出部１１ｅが設けられる。また、第２の導体部１２（一方）には、開口部９ｅ内で、第１の導体部１１（他方）側へ向けて突出する突出部１２ｅが設けられる。そして、本実施形態では、一例としては、開口部９ｅ内で、第１の導体部１１（の突出部１１ｅ）と第２の導体部１２（の突出部１２ｅ）とが、互いに直接的に接触して電気的に接続される。よって、本実施形態によれば、一例としては、第１の導体部１１と第２の導体部１２との間の導電性がより高まりやすい。
【００８８】
なお、本実施形態では、一例として、突出部１１ｅ，１２ｅが、第１の導体部１１と第２の導体部１２との両方に設けられているが、何れか一方のみに突出部１１ｅ（１２ｅ）を設けることができる。
【００８９】
また、本実施形態では、接着層９Ａに開口部９ｅを設けるようにしたが、導電性接着層９に開口部９ｅを設けることができる。
【００９０】
また、本実施形態では、接着層９Ａを、上記第１実施形態のテレビジョン受像機１の導電性接着層９に置き換えた場合を例示したが、上記第２実施形態の電子機器１Ａの導電性接着層９に置き換えることもできる。なお、本実施形態では、接着層９Ａは、導電性を有する必要は無いが、導電性を有してもよい。
【００９１】
以上、本発明の実施形態および変形例を例示したが、上記実施形態および変形例はあくまで一例であって、発明の範囲を限定することは意図していない。これら実施形態および変形例は、その他の様々な形態で実施されることが可能であり、発明の要旨を逸脱しない範囲で、種々の省略、置き換え、組み合わせ、変更を行うことができる。これら実施形態および変形例は、発明の範囲や要旨に含まれるとともに、特許請求の範囲に記載された発明とその均等の範囲に含まれる。また実施形態と変形例との間で、構成要素を部分的に置き換えることも可能である。また、各構成要素のスペック（構造や、種類、方向、形状、大きさ、長さ、幅、厚さ、高さ、数、配置、位置、材質等）は、適宜に変更して実施することができる。
【符号の説明】
【００９２】
１…テレビジョン受像機（電子機器）、１Ａ…電子機器、３…筐体、３Ａ…第一筐体（筐体）、３ｍ…壁部（第１の部材，第２の部材）、４…表示装置（第２の部材）、４ａ…表示画面、６…基板、９…導電性接着層、９Ａ…接着層、９ａ…圧縮部、９ｅ…開口部、１１…第１の導体部、１２…第２の導体部、１２ｄ…面（第２の導体部の導電性接着層とは反対側の面）、１３…凹部、１４…凸部、１４Ａ〜１４Ｋ…凸部、１５…治具（第１の部材）。
【図１】
2014215711.tif 000003
【図２】
2014215711.tif 000004
【図３】
2014215711.tif 000005
【図４】
2014215711.tif 000006
【図５】
2014215711.tif 000007
【図６】
2014215711.tif 000008
【図７】
2014215711.tif 000009
【図８】
2014215711.tif 000010
【図９】
2014215711.tif 000011
【図１０】
2014215711.tif 000012
【図１１】
2014215711.tif 000013
【図１２】
2014215711.tif 000014
【図１３】
2014215711.tif 000015
【図１４】
2014215711.tif 000016
【図１５】
2014215711.tif 000017
【図１６】
2014215711.tif 000018
【図１７】
2014215711.tif 000019
【図１８】
2014215711.tif 000020
【図１９】
2014215711.tif 000021
【図２０】
2014215711.tif 000022
【図２１】
2014215711.tif 000023
【図２２】
2014215711.tif 000024